(57)【要約】【課題】的から外れた矢を受けるプレートを、安定的に保持することができるプレートホルダを備えた的スタンドを提供する。【解決手段】的スタンド１の構成を、設置面に立脚させる筒状の支柱３１と、支柱の上端に挿入される挿入部２６、及び、的を保持させる的保持部（ベース部２１，一対の保持フレーム２２ａ，２２ｂ）を有する的ホルダ２０と、第一平板部１１及び第二平板部１２が略Ｌ字形を呈しており、第一平板部に貫設された孔部１５に挿入部が挿通された状態で挿入部が支柱の上端に挿入されることにより、支柱の上端と的ホルダとの間に第一平板部を介在させた状態で支柱に固定されるプレートホルダ１０と、第二平板部を挿通させるスリット４５を有するプレート４０と、を具備する構成とする。【選択図】図２
2018169076.tif 000002
【特許請求の範囲】
【請求項１】
設置面に立脚させる筒状の支柱と、
該支柱の上端に挿入される挿入部、及び、的を保持させる的保持部を有する的ホルダと、
第一平板部及び第二平板部が略Ｌ字形を呈しており、前記第一平板部に貫設された孔部に前記挿入部が挿通された状態で前記挿入部が前記支柱の上端に挿入されることにより、前記支柱の上端と前記的ホルダとの間に前記第一平板部を介在させた状態で前記支柱に固定されるプレートホルダと、
前記第二平板部を挿通させるスリットを有する平板状のプレートと、
を具備することを特徴とする的スタンド。
【請求項２】
設置面に立脚させる筒状の支柱と、該支柱の上端に挿入される挿入部、及び、的を保持させる的保持部を有する的ホルダと、の間に介在させるプレートホルダであり、
第一平板部及び第二平板部が略Ｌ字形を呈しており、前記第一平板部に、前記挿入部を挿通させる孔部が貫設されている
ことを特徴とするプレートホルダ。
【請求項３】
弾性を有する材料で形成されており、前記第一平板部において、前記第二平板部が延出している方向とは反対の方向を向いている面に積層されていると共に、前記孔部と連通する第二孔部を有するクッション材を、更に具備する
ことを特徴とする請求項２に記載のプレートホルダ。
【発明の詳細な説明】
【技術分野】
【０００１】
本発明は、矢を投射する的を設置面からある高さに保持する的スタンド、及び、該的スタンドに使用されるものであり、的から外れた矢を受けるプレートを保持するプレートホルダに関するものである。
【背景技術】
【０００２】
吹き矢やダーツなど、矢を的に向かってを投射するスポーツやゲームでは、的から外れた矢が周囲の壁や床などに当たり、壁や床などを傷付けるおそれがある。また、的より硬い材料で形成された壁や床などに当たることにより、矢それ自体が損傷するおそれもある。そのため、的の背面に、的より面積の大きいプレート（バックプレート）を接着したり、的の背面に桟を設けてプレートを立てかけたりなど、競技設備の提供者や競技者自身が個々に工夫をしているが、プレートを安定的に保持させることは難しいのが実情である。
【発明の概要】
【発明が解決しようとする課題】
【０００３】
そこで、本発明は、上記の実情に鑑み、的から外れた矢を受けるプレートを、安定的に保持することができるプレートホルダを備えた的スタンド、及び、該的スタンドに使用されるプレートホルダの提供を、課題とするものである。
【課題を解決するための手段】
【０００４】
上記の課題を解決するため、本発明にかかる的スタンドは、
「設置面に立脚させる筒状の支柱と、
該支柱の上端に挿入される挿入部、及び、的を保持させる的保持部を有する的ホルダと、
第一平板部及び第二平板部が略Ｌ字形を呈しており、前記第一平板部に貫設された孔部に前記挿入部が挿通された状態で前記挿入部が前記支柱の上端に挿入されることにより、前記支柱の上端と前記的ホルダとの間に前記第一平板部を介在させた状態で前記支柱に固定されるプレートホルダと、
前記第二平板部を挿通させるスリットを有する平板状のプレートと、
を具備する」ものである。
【０００５】
本構成の的スタンドは、的から外れた矢を受けるプレートを保持するプレートホルダを具備しており、このプレートホルダは、的ホルダが支柱に固定される際に、同時に支柱に固定される。すなわち、プレートホルダは、二つの平板部（第一平板部と第二平板部）が略Ｌ字形を形成しているものであり、第一平板部に孔部が貫設されている。そのため、的ホルダの挿入部を、第一平板部の孔部に挿通した状態で、筒状の支柱の上端に挿入部を挿入することにより、支柱の上端と的ホルダとの間に第一平板部が挟持され、プレートホルダが支柱に固定される。
【０００６】
従って、第二平板部が上方に向かって延出する向きで、プレートホルダを支柱に固定した上で、プレートホルダの第二平板部がプレートのスリットに下方から挿通されるようにプレートを下方に押し下げれば、プレートがプレートホルダに保持された状態となる。スリットに第二平板部を上下方向で挿通させているプレートは、的から外れた矢によって前後方向の力を受けても、プレートホルダから外れることがない。従って、的ホルダに的を保持させれば、的のごく近傍に、プレートを安定的に保持することができる。
【０００７】
次に、本発明にかかるプレートホルダは、
「設置面に立脚させる筒状の支柱と、該支柱の上端に挿入される挿入部、及び、的を保持させる的保持部を有する的ホルダと、の間に介在させるプレートホルダであり、
第一平板部及び第二平板部が略Ｌ字形を呈しており、前記第一平板部に、前記挿入部を挿通させる孔部が貫設されている」ものである。
【０００８】
これは、上記構成の的スタンドに使用されるプレートホルダの構成である。かかる構成のプレートホルダは、的スタンドの他の構成である支柱や的スタンド等とは別に流通させることができる。
【０００９】
本発明にかかるプレートホルダは、上記構成に加え、
「弾性を有する材料で形成されており、前記第一平板部において、前記第二平板部が延出している方向とは反対の方向を向いている面に積層されていると共に、前記孔部と連通する第二孔部を有するクッション材を、更に具備する」ものとすることができる。
【００１０】
本構成では、支柱の上端とプレートホルダの第一平板部との間にクッション材が介設されることとなるため、支柱に対するプレートホルダのがたつきが抑制され、ひいては支柱に対するプレートのがたつきが抑制される。なお、「弾性を有する材料」としては、ゴムや発泡樹脂を使用可能である。
【発明の効果】
【００１１】
以上のように、本発明の効果として、的から外れた矢を受けるプレートを、安定的に保持することができるプレートホルダを備えた的スタンド、及び、該的スタンドに使用されるプレートホルダを、提供することができる。
【図面の簡単な説明】
【００１２】
【図１】本発明の一実施形態の的スタンドの分解斜視図である。
【図２】図１の要部拡大図である。
【図３】（ａ）〜（ｄ）図１の的スタンドの組み立て、及び、プレートの保持の説明図である。
【発明を実施するための形態】
【００１３】
以下、本発明の一実施形態である的スタンド１、的スタンド１に使用されるプレートホルダ１０について、図１乃至図３を用いて説明する。
【００１４】
本実施形態の的スタンド１は、吹き矢の的５０を設置面からある高さに保持するものであり、筒状の支柱３１と、的５０を保持する的ホルダ２０と、的５０を外れた矢を受けるプレート４０と、プレート４０を保持するプレートホルダ１０と、を具備している。以下では、的５０が矢を受ける側の面を「正面」と称し、その反対側の面を「背面」と称する。また、正面から背面に向かう方向を「前後方向」と称する。
【００１５】
より詳細に説明すると、支柱３１は三脚３０の構成であり、支柱３１に対して折り畳み可能な三つの脚部３３に支持されて設置面から立脚する。支柱３１は、円筒状の内筒３１ａ及び外筒３１ｂの相対的なスライドによって、長さを調整することが可能である。
【００１６】
的ホルダ２０は、平板状のベース部２１と、ベース部２１の底面から下方に突出した円筒状または円柱状の挿入部２６と、ベース部２１の上面から上方に向かって突出している一対の保持フレーム２２ａ，２２ｂとを備えている。挿入部２６の外径は、支柱３１の上端における内径（内筒３１ａの内径）より僅かに小さく設定されており、支柱３１の上端に挿入可能である。一対の保持フレーム２２ａ，２２ｂは、それぞれ下方に開放したコ字形であり、それぞれのコ字の中間部が前後方向に離隔して平行となるように、コ字の両端がベース部２１の上面に固着されている。一対の保持フレーム２２ａ，２２ｂの前後方向の間隔は、的５０の厚さより僅かに大きく設定されている。
【００１７】
従って、的５０をベース部２１に載置した状態で、一対の保持フレーム２２ａ，２２ｂによって前後から的５０を挟み込むことで、的５０を立てた状態で保持することができる。ここで、ベース部２１及び一対の保持フレーム２２ａ，２２ｂが、本発明の「的保持部」に相当する。また、一対の保持フレーム２２ａ，２２ｂは、正面側の保持フレーム２２ａより背面側の保持フレーム２２ｂの方が、高さが大きく設定されている。これは、的５０が矢を受けたときに、正面から背面に向かう前後方向の力を的５０が受けるため、この力に抗して背面側から的５０を支えるためである。
【００１８】
なお、本実施形態の的５０は発砲樹脂製で、正面視が一辺３０ｃｍ〜３５ｃｍの正方形であり、厚さ（前後方向の長さ）が４ｃｍ〜５ｃｍである。
【００１９】
プレートホルダ１０は、それぞれ長方形で平板状の第一平板部１１と第二平板部１２とがＬ字形を呈しているものであり、金属製である。第一平板部１１の中央には円形の孔部１５が貫設されており、孔部１５の径は、的ホルダ２０の挿入部２６の外径より大きい。
【００２０】
また、プレートホルダ１０は、弾性を有する材料であるゴムで形成されたクッション材１７を備えている。クッション材１７は厚さが４ｍｍ〜８ｍｍのシート状であり、その中央に、第二孔部１７ｈが貫設されている。第二孔部１７ｈの径は、第一平板部１１に貫設された孔部１５の径以上である。クッション材１７は、第一平板部１１の底面に積層されるものであり、本実施形態では第二孔部１７ｈの位置が孔部１５と一致する状態で、第一平板部１１の底面に接着されている。
【００２１】
プレート４０は、一辺の長さが的５０の一辺の長さの３倍〜４倍である正方形または長方形の平板であり、樹脂製である。プレート４０は、横方向に延びるスリット４５を有している。スリット４５の大きさは、プレートホルダ１０の第二平板部１２の横断面の外形より僅かに大きく設定されている。
【００２２】
上記構成の的スタンド１の組み立てについて、図３を用いて説明する。まず、支柱３１の上端（内筒３１ａの上端）にプレートホルダ１０を位置させる。このとき、プレートホルダ１０の向きは、第二平板部１２が上方に向かって延出すると共に、第一平板部１１と支柱３１の上端との間にクッション材１７が位置する向きとする（図３（ａ）参照）。また、その際、第一平板部１１に貫設されている孔部１５、及びクッション材１７に貫設されている第二孔部１７ｈを支柱３１の直上に位置させて、支柱３１の内部空間と連通させる。
【００２３】
この状態で、的ホルダ２０の挿入部２６を、第一平板部１１の上方から孔部１５及び第二孔部１７ｈに挿通した上で、支柱３１の上端に挿入する。このとき、的ホルダ２０の向きは、一対の保持フレーム２２ａ，２２ｂが、プレートホルダ１０の第二平板部１２と平行となり、且つ、一対の保持フレーム２２ａ，２２ｂのうち高さの大きい保持フレーム２２ｂが第二平板部１２側となる向きとする。挿入部２６が支柱３１の上端にしっかりと挿入されると、的ホルダ２０が支柱３１に固定されると共に、支柱３１の上端と的ホルダ２０との間に第一平板部１１が挟持されることにより、プレートホルダ１０が支柱３１に固定される。
【００２４】
また、支柱３１の上端と第一平板部１１との間にクッション材１７が介在することにより、支柱３１に対するプレートホルダ１０のがたつきが防止される。
【００２５】
次に、支柱３１に固定されたプレートホルダ１０に上方からプレート４０を近づけ、プレートホルダ１０の第二平板部１２をプレート４０のスリット４５に下方から挿通する（図３（ｂ）参照）。プレート４０は樹脂製の平板であるため、スリット４５の周辺で多少たわみ、スリット４５への第二平板部１２の挿通が許容される。プレート４０を押し下げることにより、第二平板部１２を全高にわたりスリット４５に挿通させると、スリット４５が第二平板部１２における第一平板部１１との境界に位置する。これにより、プレート４０がプレートホルダ１０を介して支柱３１にしっかりと固定され、プレート４０が的ホルダ２０の背後で上下方向に延びている姿勢となる（図３（ｃ）参照）。
【００２６】
この状態で、的ホルダ２０のベース部２１に的５０を載置すると共に、一対の保持フレーム２２ａ，２２ｂ間に的５０を挟み込むことにより、的５０が支柱３１に固定される。これにより、的５０の背後に、的５０より面積の大きなプレート４０が配された状態となり（図３（ｄ）参照）、的５０から外れた矢をプレート４０で受けることができる。
【００２７】
以上のように、本実施形態の的スタンド１によれば、的５０を保持させるための的ホルダ２０を支柱３１に固定する際に、プレート４０を保持させるプレートホルダ１０をも支柱３１に固定することができる。そのため、プレートホルダ１０を、的ホルダ２０とは別個に支柱３１に固定する場合と比べて、構成が簡易であり組み立ても容易である。
【００２８】
加えて、プレートホルダ１０は、例えば、一枚の金属板材をＬ字形に折り曲げ成形し、孔部１５を穿設するだけで、容易かつ安価に製造できる利点がある。
【００２９】
そして、プレート４０は、プレート４０に設けられたスリット４５に第二平板部１２を上下方向に挿通することによって、プレートホルダ１０に取り付けられるものであるため、的５０から外れた矢を受けることにより前後方向の力が作用しても、プレートホルダ１０から外れることがない。従って、プレートを的の背面に接着したり、的の背面に設けた桟にプレートを立てかけたりしていた従来とは異なり、プレート４０が的５０の背後に配された状態を、極めて安定的に保持することができる。
【００３０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３１】
例えば、上記の実施形態では、クッション材１７が第一平板部１１の底面に接着されている場合を例示した。これに限定されず、クッション材１７は、第一平板部１１に接着されることなく、単に当接させることによって第一平板部１１の底面に積層される構成とすることができる。
【００３２】
また、上記の実施形態では、支柱３１が、折り畳み式の脚部３３を備える三脚３０の構成である場合を例示した。これに限定されず、折り畳み不能な脚部３３によって設置面から立脚する支柱や、下端が設置面に埋設される支柱とすることができる。
【符号の説明】
【００３３】
１  的スタンド
１０  プレートホルダ
１１  第一平板部
１２  第二平板部
１５  孔部
１７  クッション材
１７ｈ  第二孔部
２０  的ホルダ
２１  ベース部（的保持部）
２２ａ，２２ｂ  保持フレーム（的保持部）
２６  挿入部
３１  支柱
４０  プレート
４５  スリット
５０  的
【図１】
2018169076.tif 000003
【図２】
2018169076.tif 000004
【図３】
2018169076.tif 000005